(57)【特許請求の範囲】
【請求項１】
外壁用タイル面の汚れ除去方法であって、タイル表面の厚さ方向に堆積する煤煙、粉塵、塵埃、排気ガスなどの汚染物質が強固にへばり付いた頑固な汚れ部Ａを水の噴出する手持ち式ウォーターサンダーで研削する工程と、研削片などの汚れＡ’を水５で洗い流す工程と、汚れＡ’を洗い流したタイル表面に水打ち６を行う工程と、タイル表面を傷めず洗浄できるｐＨ３〜ｐＨ６の弱酸性洗浄液８をタイル表面に塗布する工程と、前記弱酸性洗浄液８を細穴９や割れ目あるいは目地２に浸入させ、軽微な汚れ部Ｂおよび細穴９や割れ目あるいは目地２の汚れ部Ｃを浮き上がらせる工程と、高圧温水１１を吹き付けて汚れ部Ｂおよび汚れ部Ｃを除去する工程とからなることを特徴とする外壁用タイル面の汚れ除去方法。
【請求項２】
前記弱酸性洗浄液８をタイル表面に塗布する工程は、塗布量を５０〜１５０ｇ/ｍ2の範囲とし、複数回に分けて塗布することを特徴とする請求項１に記載の外壁用タイル面の汚れ除去方法。
【発明の詳細な説明】
【技術分野】
【０００１】
本発明は、建築物などの外装材として使用されている外壁用タイルに付着する頑固な汚れや軽微な汚れなどを容易に除去する方法に関するものである。
【背景技術】
【０００２】
ビルディングやマンションなどの建築物の外壁面には、自然環境に対して劣化や変質がし難く、耐久性、耐候性に優れると共に、さまざまな風合いや色彩、形、材質感が実現でき、豊かな意匠性を持ち特有の美観が得られることから、磁器質タイル、せっ器質タイル、陶器質タイルなどの外壁用タイルによる外装仕上げが多く行われている。
【０００３】
この外壁用タイルは、他の外装仕上げに比べイニシャルコストがかかる反面、前述のような長所を有しているが、日光や風雨などにさらされている環境下にあることから、軽微な汚れや煤煙、粉塵、塵埃、排気ガスなど大気の汚染物質が付着堆積して、厚み方向に積層された頑固な汚れを形成する。この頑固な汚れは紫外線などの照射を受けることにより乾燥硬化して、タイル表面に強固にへばりつくことになり除去するのが大変困難になる。
【０００４】
また、酸性雨などの浸透によるタイル表層部の中性化や白華現象（エフロレッセンス）が生じてタイルとタイルの間の目地に白い吹き出物状の物質が付着し、そのまま放置しておくと次第に広がっていき美観を損なうばかりでなく、劣化が進み外観は一段と悪化することになる。
【０００５】
一般に汚れ難いと言われているタイル表面が鏡面の陶磁器タイルであっても、タイル表面には細穴（微細穴）があると共に、劣化が進むと細かい割れ目が生じ、前述の大気汚染物質やカビなどが入り込む。細穴や割れ目あるいは目地などに一旦汚れが入り込むと除去が難しくなる。細穴や割れ目が多い陶磁器タイルは、当然汚れの入り込みも多く、細穴の上部や割れ目に点状のような汚れが多数発生して汚れが目立つことになる。
【０００６】
上記のように、タイル表面の軽微な汚れや厚さ方向に強固にへばり付いた大気汚染物質などの頑固な汚れおよび細穴、割れ目、目地内に入り込んで付着したカビや汚れなどは、デッキブラシやスポンジタワシなどの清掃具でこすり洗いしても、軽微な汚れは別として、頑固な汚れは除去できない。そのため、高圧水洗滌機や高圧温水洗滌機を用いて高圧水や高圧温水を噴射し、その衝撃力で汚染物質を除去している（例えば、特許文献１，２参照）。
【先行技術文献】
【特許文献】
【０００７】
【特許文献１】特開２００３−３３６８０号公報
【特許文献２】特開平９−２４２３４７号公報
【発明の概要】
【発明が解決しようとする課題】
【０００８】
タイル表面の厚さ方向に堆積した大気汚染物質などの頑固な汚れを除去するのには、前述したように高圧水を噴射するのが良いが、高圧水を吹き付けるとタイル表面の素地を傷めることになる。また、タイル表面の軽微な汚れについても、高圧水による除去は前記の理由と同じで使用できない。さらに、細穴や割れ目あるいは目地に付着する汚れやカビなどは取り除くことができず、洗浄しても依然として点状の汚れが残り綺麗にならず、タイルの元の持つ色出しができないという問題点があった。
【０００９】
本発明は、上記のような問題点を解決することを課題として開発されたもので、外壁用タイル表面に付着する軽微な汚れや厚み方向に堆積する煤煙、粉塵、塵埃、排気ガスなどの汚染物質が強固にへばり付いた頑固な汚れおよび細穴、割れ目、目地などに浸入してこびりついた汚れなどを容易に除去できる外壁用タイル面の汚れ除去方法を提供することを目的とするものである。
【課題を解決するための手段】
【００１０】
上記の課題を解決し、その目的を達成する手段として、本発明は、  外壁用タイル面の汚れ除去方法であって、タイル表面の厚さ方向に堆積する煤煙、粉塵、塵埃、排気ガスなどの汚染物質が強固にへばり付いた頑固な汚れ部Ａを水の噴出する手持ち式ウォーターサンダーで研削する工程と、研削片などの汚れＡ’を水５で洗い流す工程と、汚れＡ’を洗い流したタイル表面に水打ち６を行う工程と、タイル表面を傷めず洗浄できるｐＨ３〜ｐＨ６の弱酸性洗浄液８をタイル表面に塗布する工程と、前記弱酸性洗浄液８を細穴９や割れ目あるいは目地２に浸入させ、軽微な汚れ部Ｂおよび細穴９や割れ目あるいは目地２の汚れ部Ｃを浮き上がらせる工程と、高圧温水１１を吹き付けて汚れ部Ｂおよび汚れ部Ｃを除去する工程とからなることを特徴とする外壁用タイル面の汚れ除去方法を開発し、採用した。
【００１１】
また、本発明では、上記のように構成した外壁用タイル面の汚れ除去方法において、前記弱酸性洗浄液をタイル表面に塗布する工程は、塗布量を５０〜１５０ｇ/ｍ2の範囲とし、複数回に分けて塗布することを特徴とする外壁用タイル面の汚れ除去方法を開発し、採用した。
【発明の効果】
【００１２】
本発明に係る外壁用タイル面の汚れ除去方法によれば、水の噴出する手持ち式ウォーターサンダーでタイルの厚さ方向に堆積して突出する煤煙、粉塵、排気ガスなどの汚染物質が強固にへばり付いた頑固な汚れ部を平面になるように研削するものであるが、その際、タイル面にこびり付いた頑固な汚れであっても、手持ち式ウォーターサンダーから水を噴出して研削するので、頑固な汚れ部は次第に水を含み軟化され、研削具の接触圧により容易に研削除去され、水を噴出しているから、研削時における粉塵の飛散がなく、作業現場の環境を悪化して作業者の健康を害するおそれがなくなると共に、手持ち式ウォーターサンダーで研削された汚れを水で洗い流すのでタイル面が綺麗になる。
【００１３】
また、水の噴出する手持ち式ウォーターサンダーで研削された汚れを洗い流して綺麗にした後、タイル表面に予め水打ちすることにより、次工程の弱酸性洗浄液を塗布する時に、全体にわたって均一に塗布することができ、汚れを効果的に除去できる。
【００１４】
さらに、タイル表面に付着する軽微な汚れはｐＨ３〜ｐＨ６の弱酸性洗浄液を塗布することにより、タイル表面を傷めず洗浄することができると共に、弱酸性洗浄液がタイル表面の細穴や割れ目あるいは目地などに浸入した後、水洗いすることにより、弱酸性洗浄液および表面の軽微な汚れを落とすことができる。さらに、細孔や割れ目あるいは目地に残留する汚れ部に高圧温水を吹き付けることにより、汚れを剥離して除去でき、外壁用タイルに付着していた全ての汚れを取ることができ、全体が美しくなり元の色彩もしくは近い色彩になる。
【００１５】
また、前記弱酸性洗浄液をタイル表面に塗布する工程は、塗布量を５０〜１５０ｇ/ｍ2の範囲とし、複数回に分けて塗布することによりタイル面に付着した汚れ部を容易に確実に除去できる。
【図面の簡単な説明】
【００１６】
【図１】外壁用タイル面の汚れ除去の手順を示すフローチャートである。
【図２】外壁用タイルの一部正面図である。
【図３】図１のＩ−Ｉ線拡大断面図である。
【図４】手持ち式ウォーターサンダーで汚れ部を除去する説明図である。
【図５】研削された汚れを水で洗い流す説明図である。
【図６】水打ちを示す説明図である。
【図７】弱酸性洗浄液を塗布する説明図である。
【図８】高圧温水でタイル表面に吹き付ける説明図である。
【図９】細穴に汚れ部が付着している説明図である。
【図１０】細穴の汚れ部が浮き上がっている状態の説明図である。
【図１１】細穴から汚れ部が除去される状態の説明図である。
【図１２】合成繊維パッドを装着した研削具で汚れ部を除去する説明図である。
【図１３】合成繊維ブラシを装着した研削具で汚れ部を除去する説明図である。
【発明を実施するための最良の形態】
【００１７】
以下に、本発明の実施の形態を添付図面に基づいて説明すれば、図１は外壁用タイルの汚れ除去の手順を示すフローチャートであり、図２〜図１１は手順を模式的に示した図である。
【００１８】
本発明に係る外壁用タイルとしては、例えば、磁器質タイル、せっ器質タイル、半磁器
質タイル、陶器質タイルなどの陶磁器質タイル１であって、表面が平滑面１ａや凸凹面１ｂあるいは平滑面１ａと凸凹面１ｂからなる場合などがあり、張りモルタルで陶磁器質タイル１を張り、目地モルタルで目地２を詰めることにより形成されたものである。
【００１９】
本発明では、第１の工程として、手持ち式ウォーターサンダー３で陶磁器質タイル１の表面の厚さ方向に大気の汚染物質が堆積してこびり付いた頑固な汚れ部Ａを研削して除去するものである。ここで用いる手持ち式ウォーターサンダー３は、ボディー３ａの内部に組み込んだエアーモータ(図示せず)により研削具４を回転駆動すると共に、研削具４の内部中心部から水を噴出する公知のエアー手持ち式のものであるが、電動式のものでもよいのは勿論である。
【００２０】
陶磁器質タイル１の表面が平滑面タイル１ａの時には、図１２に示すように、手持ち式ウォーターサンダー３の下端部に取り付けられる研削具４を、ナイロン繊維からなる不織布に研磨粒子を塗着した薄状物を積層した円盤状の合成繊維パッド４ａを使用し、頑固な汚れ部Ａが平面になるよう研削する。研削時には、研削具４の内部中心部から水が噴出されているから、頑固な汚れ部Ａの微粉末が周囲に舞い上がることなく、飛散せず作業環境を悪化することがない。
【００２１】
一方、陶磁器質タイル１の表面が凸凹面タイル１ｂの時には、図１３に示すように、手持ち式ウォーターサンダー３の下端部に取り付けられる研削具４を、研磨粒子入りのナイロン繊維やポリエステル繊維からなる合成繊維ブラシ４ｂを使用し、頑固な汚れ部Ａが平面になるように研削する。研削時に水が噴出されて頑固な汚れ部Ａの微粉末が周囲に飛散せず、作業環境を悪化することがないのは合成繊維パッド４ａと同じである。
【００２２】
手持ち式ウォーターサンダー３により、タイル表面の厚さ方向に突出する頑固な汚れ部Ａを平面になるように研削除去すると、研削片などの汚れＡ’が生じることから、この汚れＡ’を水５で洗い流してタイル表面を綺麗にする。汚れＡ’を洗い流したタイル表面に予め水打ち６を行って、次工程の弱酸性洗浄液８を塗布する際に、均一に塗布することができ、汚れを効果的に除去できるようになっている。また、図２、図３に示すように、陶磁器質タイル１の表面に付着する軽微な汚れＢを除去しようと思えば、タイル表面を研削することになり、凸凹部を作ることから、手持ち式ウォーターサンダー３での研削は適さない。
【００２３】
そこで、次の工程として、タイル表面の軽微な汚れ部Ｂに、刷毛、ウエス、ローラ、スプレーなどの公知の塗装具７によってｐＨ３〜ｐＨ６の弱酸性洗浄液８を塗布することによりタイル表面を傷めずに軽微な汚れ部Ｂを落とすことができる。この弱酸性洗浄液８は特に限定するものではなく、（例えば、エスケイ化研株式会社製  外壁洗浄剤  タイルクリーンＮＥＯ）を用いることにより、汚れを落とすことができると共に、弱酸性洗浄液８はタイル表面の細穴９や目地２にも浸入させ、細穴９の周面壁９ａや目地２に付着する汚れ部Ｃを浮き上がらせる。
【００２４】
この弱酸性洗浄液８の塗布する際の所要量は、陶磁器質タイル１の汚れ具合を勘案して設定すればよいが、通常５０〜１５０ｇ/ｍ2程度である。弱酸性洗浄液８の塗布においては、所要量を上記範囲内として、複数回に分けて塗布し、弱酸性洗浄液８がタイル表面の細穴９や目地２に浸入する量であればよい。
【００２５】
そして、ノズル１０から噴出する高圧温水１１をタイル面に吹き付ければ、この時点でまだ落ちていない軽微な汚れ部Ｂがあれば落とすことができると共に、弱酸性洗浄液８を十分水洗いして流すことができ、かつ、細穴９の汚れ部Ｃも細穴９から出て流れることになり、タイル面に付着していた汚れ部が残ることなく、全て除去され、綺麗になってタイルの元の持つ色出しが可能となる。
【００２６】
この時の吐出圧力としては、陶磁器質タイル１の種類や状態に応じて低圧から高圧を選ぶことができるが、一般的には１５０ｋｇｆ／ｃｍ２〜５００ｋｇｆ／ｍ２の範囲が適しており、この範囲内において、現場の状況に応じて圧力を調整する。
【００２７】
高圧温水１１の温度は６０〜１００℃のものが好ましい。６０℃以下になると浸透性が悪いことから適さず、１００℃以上になると水蒸気になり飛散してタイル面まで吹き付けることができないので適さない。水量としては、１０〜３５リットル／分が適している。この範囲であれば飛散することがなく、作業現場が水浸しになることがないが、現場状況に応じて飛散するのを少なくする場合、圧力と水量を選ぶ。
【００２８】
以上、本発明の実施の形態では、陶磁器質タイルの例で説明したが、必ずしもこの実施の形態に限定されるものではなく、本発明の目的を達成でき、かつ発明の要旨を逸脱しない範囲内において種々の設計変更が可能である。
【産業上の利用可能性】
【００２９】
本発明は、ビルディングやマンションなどの建築物の外装材である外壁用タイルに限らず、石、合成樹脂板、金属板などの外装壁材の汚れ除去方法にも利用可能である。
【符号の説明】
【００３０】
１    陶磁器質タイル    
２    目地
３    手持ち式ウォーターサンダー
４    研削具
４ａ  合成繊維パッド
４ｂ  合成繊維ブラシ
５    水
６    水打ち
７    塗装具
８    弱酸性洗滌液
９    細穴
９ａ  周壁面
１０  ノズル
１１  高圧温水
Ａ    頑固な汚れ部
Ｂ    軽微な汚れ部
Ｃ    汚れ部
【図１】
0006006529.tif 000002
【図２】
0006006529.tif 000003
【図３】
0006006529.tif 000004
【図４】
0006006529.tif 000005
【図５】
0006006529.tif 000006
【図６】
0006006529.tif 000007
【図７】
0006006529.tif 000008
【図８】
0006006529.tif 000009
【図９】
0006006529.tif 000010
【図１０】
0006006529.tif 000011
【図１１】
0006006529.tif 000012
【図１２】
0006006529.tif 000013
【図１３】
0006006529.tif 000014